【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
互いに暗号通信可能な第１の制御部及び第２の制御部を有し、遊技場の中に設置される複数の遊技用装置と、前記複数の遊技用装置それぞれが有する前記第１の制御部と通信可能であり、前記遊技場の中に設置されて前記複数の遊技用装置それぞれを管理する第１の管理装置と、前記第１の管理装置と通信可能であり、前記遊技場の外に設置される第２の管理装置と、を備え、
前記第１の制御部と前記第２の制御部と前記第２の管理装置とは、暗号通信で使用される共通の鍵である第１の鍵を、この第１の鍵の情報を示す第１の鍵情報とともに記憶し、
前記第２の管理装置は、第２の鍵と前記第２の鍵の情報を示す第２の鍵情報とを、前記第１の鍵で暗号化して前記第１の管理装置に送信し、
前記第１の管理装置は、前記第２の管理装置から送信された前記第２の鍵と前記第２の鍵情報とを暗号化された状態のまま前記第１の制御部に送信し、
前記第１の制御部は、前記第１の管理装置から送信された前記第２の鍵と前記第２の鍵情報とを前記第１の鍵で復号する復号手段と、前記復号手段が復号した前記第２の鍵情報と予め記憶している前記第１の鍵情報とを照合する照合手段と、を備え、前記照合手段による照合で両者が異なる場合に、前記復号手段が復号した前記第２の鍵を暗号通信で使用する鍵として記憶することにより当該暗号通信で使用する鍵を前記第１の鍵から前記第２の鍵に更新するとともに、暗号化された状態の前記第２の鍵を前記第２の制御部に供給し、
前記第２の制御部は、前記第２の鍵を前記第１の制御部から受け取り、受け取った前記第２の鍵を前記第１の鍵で復号化し、復号化した前記第２の鍵を暗号通信で使用する鍵として記憶することにより当該暗号通信で使用する鍵を前記第１の鍵から前記第２の鍵に更新し、
前記第１の制御部と前記第２の制御部とは、前記第１の管理装置と前記第２の管理装置とが通信できないときに前記第１の鍵を使用して前記暗号通信を行う、
ことを特徴とする遊技用システム。
【請求項２】
互いに暗号通信可能な第１の制御部及び第２の制御部を有する遊技用装置であって、
前記遊技用装置は、遊技場の中に複数設置されるものであり、
前記第１の制御部は、前記遊技場の外に設置された第２の管理装置と通信可能な、前記遊技場の中に設置されて前記複数の遊技用装置それぞれを管理する第１の管理装置と通信可能であり、
前記第１の制御部と前記第２の制御部は、暗号通信で使用される共通の鍵である第１の鍵を、この第１の鍵の情報を示す第１の鍵情報とともに記憶し、
前記第１の制御部は、前記第２の管理装置によって暗号化され、当該第２の管理装置から暗号化されたままの状態で前記第１の管理装置を介して送信された第２の鍵と前記第２の鍵の情報を示す第２の鍵情報とを取得する取得手段と、前記取得手段が取得した前記第２の鍵と前記第２の鍵情報とを前記第１の鍵で復号する復号手段と、前記復号手段が復号した前記第２の鍵情報と予め記憶している前記第１の鍵情報とを照合する照合手段と、を備え、前記照合手段による照合で両者が異なる場合に、前記復号手段が復号した前記第２の鍵を暗号通信で使用する鍵として記憶することにより当該暗号通信で使用する鍵を前記第１の鍵から前記第２の鍵に更新するとともに、暗号化された状態の前記第２の鍵を前記第２の制御部に供給し、
前記第２の制御部は、前記第２の鍵を前記第１の制御部から受け取り、受け取った前記第２の鍵を前記第１の鍵で復号化し、復号化した前記第２の鍵を暗号通信で使用する鍵として記憶することにより当該暗号通信で使用する鍵を前記第１の鍵から前記第２の鍵に更新し、
前記第１の制御部と前記第２の制御部とは、前記第１の管理装置と前記第２の管理装置とが通信できないときに前記第１の鍵を使用して前記暗号通信を行う、
ことを特徴とする遊技用装置。
【手続補正２】
【補正対象書類名】明細書
【補正対象項目名】０００６
【補正方法】変更
【補正の内容】
【０００６】
（１）上記目的を達成するため、本発明に係る遊技用システムは、
互いに暗号通信可能な第１の制御部（例えば、主制御部２１）及び第２の制御部（例えば、通信制御ＩＣ２３）を有し、遊技場（例えば、遊技場５００）の中に設置される複数の遊技用装置（例えば、カードユニット２０）と、前記複数の遊技用装置それぞれが有する前記第１の制御部と通信可能であり、前記遊技場の中に設置されて前記複数の遊技用装置それぞれを管理する第１の管理装置（例えば、上位サーバ５１０）と、前記第１の管理装置と通信可能であり、前記遊技場の外に設置される第２の管理装置（例えば、鍵管理センターサーバ３１０）と、を備え、
前記第１の制御部と前記第２の制御部と前記第２の管理装置とは、暗号通信で使用される共通の鍵である第１の鍵（例えば、仮認証鍵）を、この第１の鍵の情報を示す第１の鍵情報（例えば、鍵バージョン）とともに記憶し、
前記第２の管理装置は、第２の鍵（例えば、本認証鍵）と前記第２の鍵の情報を示す第２の鍵情報（例えば、鍵バージョン）とを、前記第１の鍵で暗号化して前記第１の管理装置に送信し（例えば、ステップＥ５において本情報を仮認証鍵で暗号化して送信する処理参照）、
前記第１の管理装置は、前記第２の管理装置から送信された前記第２の鍵と前記第２の鍵情報とを暗号化された状態のまま前記第１の制御部に送信し（例えば、ステップＥ６において暗号化された本情報を主制御部２１に送信する処理参照）、
前記第１の制御部は、前記第１の管理装置から送信された前記第２の鍵と前記第２の鍵情報とを前記第１の鍵で復号する復号手段と（例えば、ステップＥ７において本情報を仮認証鍵で復号する処理参照）、前記復号手段が復号した前記第２の鍵情報と予め記憶している前記第１の鍵情報とを照合する照合手段と（例えば、ステップＥ７において照合する処理参照）、を備え、前記照合手段による照合で両者が異なる場合に、前記復号手段が復号した前記第２の鍵を暗号通信で使用する鍵として記憶することにより当該暗号通信で使用する鍵を前記第１の鍵から前記第２の鍵に更新するとともに（例えば、ステップＥ７．５において仮情報を第２記憶領域に移して本情報を第１記憶領域に記憶する処理参照）、暗号化された状態の前記第２の鍵を前記第２の制御部に供給し（例えば、ステップＥ９において通信制御ＩＣ２３に本情報を登録する処理参照）、
前記第２の制御部は、前記第２の鍵を前記第１の制御部から受け取り、受け取った前記第２の鍵を前記第１の鍵で復号化し、復号化した前記第２の鍵を暗号通信で使用する鍵として記憶することにより当該暗号通信で使用する鍵を前記第１の鍵から前記第２の鍵に更新し（例えば、ステップＥ９において通信制御ＩＣ２３に本情報を登録する処理参照）、
前記第１の制御部と前記第２の制御部とは、前記第１の管理装置と前記第２の管理装置とが通信できないときに前記第１の鍵を使用して前記暗号通信を行う（例えば、図３０の処理参照）。
【手続補正３】
【補正対象書類名】明細書
【補正対象項目名】０００８
【補正方法】変更
【補正の内容】
【０００８】
（２）上記目的を達成するため、本発明に係る遊技用装置は、
互いに暗号通信可能な第１の制御部（例えば、主制御部２１）及び第２の制御部（例えば、通信制御ＩＣ２３）を有する遊技用装置（例えば、カードユニット２０）であって、
前記遊技用装置は、遊技場（例えば、遊技場５００）の中に複数設置されるものであり、
前記第１の制御部は、前記遊技場の外に設置された第２の管理装置（例えば、鍵管理センターサーバ３１０）と通信可能な、前記遊技場の中に設置されて前記複数の遊技用装置それぞれを管理する第１の管理装置（例えば、上位サーバ５１０）と通信可能であり、
前記第１の制御部と前記第２の制御部は、暗号通信で使用される共通の鍵である第１の鍵（例えば、仮認証鍵）を、この第１の鍵の情報を示す第１の鍵情報（例えば、鍵バージョン）とともに記憶し、
前記第１の制御部は、前記第２の管理装置によって暗号化され、当該第２の管理装置から暗号化されたままの状態で前記第１の管理装置を介して送信された第２の鍵と前記第２の鍵の情報を示す第２の鍵情報とを取得する取得手段と、前記取得手段が取得した前記第２の鍵と前記第２の鍵情報とを前記第１の鍵で復号する復号手段と（例えば、ステップＥ７において本情報を仮認証鍵で復号する処理参照）、前記復号手段が復号した前記第２の鍵情報と予め記憶している前記第１の鍵情報とを照合する照合手段と（例えば、ステップＥ７において照合する処理参照）、を備え、前記照合手段による照合で両者が異なる場合に、前記復号手段が復号した前記第２の鍵を暗号通信で使用する鍵として記憶することにより当該暗号通信で使用する鍵を前記第１の鍵から前記第２の鍵に更新するとともに（例えば、ステップＥ７．５において仮情報を第２記憶領域に移して本情報を第１記憶領域に記憶する処理参照）、暗号化された状態の前記第２の鍵を前記第２の制御部に供給し（例えば、ステップＥ９において通信制御ＩＣ２３に本情報を登録する処理参照）、
前記第２の制御部は、前記第２の鍵を前記第１の制御部から受け取り、受け取った前記第２の鍵を前記第１の鍵で復号化し、復号化した前記第２の鍵を暗号通信で使用する鍵として記憶することにより当該暗号通信で使用する鍵を前記第１の鍵から前記第２の鍵に更新し（例えば、ステップＥ９において通信制御ＩＣ２３に本情報を登録する処理参照）、
前記第１の制御部と前記第２の制御部とは、前記第１の管理装置と前記第２の管理装置とが通信できないときに前記第１の鍵を使用して前記暗号通信を行う（例えば、図３０の処理参照）。